(57)【要約】本発明の目的は、新たな部品を実装することなくフラッシュ機能を実現可能な撮像手段を備えた電子機器および当該電子機器を用いた撮影方法を提供することである。撮影開始時、背面表示部（１０９）にフラッシュ専用画面を輝度１の輝度レベルで表示させる。この状態で、背面撮像部（１１１）からの画像データを表示部（１０８）に連続的に表示するプレビュー動作を行う。プレビュー動作中、シャッターキー（１１６）が押下された場合、背面表示部（１０９）の表示輝度を輝度１より明るい輝度２に設定してフラッシュ動作を行う。このフラッシュ動作のタイミングに合わせて背面撮像部（１１１）で被写体を撮像し、背面撮像部（１１１）から撮像された被写体の画像データを取り込み、メモリに保存する。画像データの取り込み後、背面表示部（１０９）の表示輝度を輝度２から輝度１に戻し、フラッシュ動作を終える。
2004054239.tif 000002
【特許請求の範囲】
【請求項１】
表示手段および撮像手段を備え、前記表示手段の表示面および前記撮像手段の撮像方向が同一方向に設定された電子機器であって、
前記表示手段の表示輝度を少なくとも２つのレベルで切り替え制御し、前記撮像手段による撮像時は、前記表示手段が最も高い輝度レベルで所定画像を表示するよう制御する表示制御手段を備えたことを特徴とする電子機器。
【請求項２】
前記表示制御手段は、
前記撮像手段が撮像する瞬間の前後で前記表示手段の表示輝度を変化させ、
前記撮像する瞬間前には前記表示手段の表示輝度を前記最も高い輝度レベルに切り替え、前記撮像する瞬間後には前記表示手段の表示輝度を前記最も高い輝度レベルよりも低い輝度レベルに切り替えることを特徴とする請求の範囲第１項記載の電子機器。
【請求項３】
前記所定画像は、前記表示手段を構成する画素の全てを白色に発光させた画像であることを特徴とする請求の範囲第１項または第２項記載の電子機器。
【請求項４】
前記所定画像は、前記撮像手段による撮像前に予め選択された画像であることを特徴とする請求の範囲第１項または第２項記載の電子機器。
【請求項５】
前記表示手段は、当該電子機器の正面側に設けられた第１の表示手段と、当該電子機器の背面側に設けられた第２の表示手段と、を有し、
前記撮像手段は、当該電子機器の正面側に設けられた第１の撮像手段と、当該電子機器の背面側に設けられた第２の撮像手段と、を有し、
前記表示制御手段は、
前記第２の撮像手段を用いて撮影する場合、
前記第２の表示手段に前記最も高い輝度レベルで前記所定画像を表示させ、かつ、前記第１の表示手段に任意の輝度レベルで前記第２の撮像手段からの画像を表示させ、
前記第１の撮像手段を用いて撮影する場合、
前記表示制御手段は、前記第１の表示手段に前記最も高い輝度レベルで前記所定画像を表示させ、かつ、前記第２の表示手段に任意の輝度レベルで任意の画像を表示させることを特徴とする請求の範囲第１項、第２項、第３項または第４項記載の電子機器。
【請求項６】
表示手段および撮像手段を備え、前記表示手段の表示面および前記撮像手段の撮像方向が同一方向に設定された電子機器を用いた撮影方法であって、
前記表示手段の表示輝度を少なくとも２つのレベルで切り替え制御し、前記撮像手段による撮像時は、前記表示手段が最も高い輝度レベルで所定画像を表示することを特徴とする撮影方法。
【請求項７】
前記撮像手段が撮像する瞬間前には、前記表示手段の表示輝度を前記最も高い輝度レベルに切り替え、
前記撮像手段が撮像する瞬間後には、前記表示手段の表示輝度を前記最も高い輝度レベルよりも低い輝度レベルに切り替えることを特徴とする請求の範囲第６項記載の撮影方法。
【請求項８】
通電することで発光する発光手段と、
前記発光手段を点灯制御する点灯制御手段と、
前記点灯制御手段に対して前記発光手段の点灯を指示する点灯指示手段とを備え、
前記点灯制御手段は、前記発光手段を第１の点灯用途のために第１の輝度で点灯させるとともに、前記点灯指示手段から点灯指示があったときには、前記発光手段を第２の点灯用途のために第２の輝度で点灯させる制御を行うことを特徴とする電子機器。
【請求項９】
前記点灯制御手段は、通信手段による着信があった場合に前記第１の点灯用途として着信報知のために前記発光手段を点灯させることを特徴とする請求の範囲第８項に記載の電子機器。
【請求項１０】
前記点灯制御手段は、所定のアラーム設定時刻となった場合に前記第１の点灯用途として時刻アラーム報知のために前記発光手段を点灯させることを特徴とする請求の範囲第８項に記載の電子機器。
【請求項１１】
前記点灯制御手段は、前記第２の点灯用途として撮像手段の撮影照明のために前記発光手段を発光させることを特徴とする請求の範囲第８項〜第１０項のいずれかに記載の電子機器。
【請求項１２】
前記点灯制御手段は、前記第２の点灯用途として撮像手段の撮影照明を行う際に、前記撮像手段による撮影前に前記発光手段を第２の輝度で発光させるとともに、前記撮像手段による撮影時に前記発光手段を第２の輝度より明るい第３の輝度で発光させることを特徴とする請求の範囲第１１項に記載の電子機器。
【発明の詳細な説明】
【技術分野】  本発明は、フラッシュ機能を実現可能な電子機器および当該電子機器を用いた撮影方法に関する。
【背景技術】  近年、携帯電話やＰＨＳ等の移動体通信端末の高性能化および高機能化が進み、様々な種類の通信端末が販売されている。その中でも、今日、圧倒的にユーザに支持されているものがカメラ付き携帯電話である。このカメラ付き携帯電話は、今後、デジタルカメラ並みの画質に向上することが望まれている。
画質の向上のためには、固体撮像素子（ＣＣＤセンサ、ＣＭＯＳセンサ等）の感度や精細度といった性能の向上が必要であるが、照度が低い環境下で撮影する画像の画質の向上を実現するためにはフラッシュ機能が考えられる。このため、フラッシュ装置内蔵の携帯電話（例えば、特許文献１参照）や、携帯電話の周辺機器としてのフラッシュ装置装置が考案されている。特に、最近では、高輝度ＬＥＤを内蔵することにより、フラッシュ機能を有した携帯電話も考えられている。
また、従来の携帯電話装置や固定電話装置などには着信時の呼び出しとしてランプを点滅させたり、放電管等のフラッシュランプによるフラッシュ装置を設けて発光させたりするものがある。また、携帯電話装置等にランプやフラッシュ装置を内蔵させるのではなく、外部に専用に設けたものもある。
このような着信時に可視光の点滅を行うようにした従来例としては、固定電話機とは別体であって、フラッシュランプを備え、着信があると、呼び出し信号に同期してフラッシュランプを発光させるもの（例えば、特許文献２参照）がある。また、バックライト付きの液晶表示器を備え、着信があると、液晶表示器のバックライトを点滅発光させるもの（例えば、特許文献３参照）、携帯電話装置とは別体であって、発光素子を備え、携帯電話装置に着信があると、発光素子を発光させるもの（例えば、特許文献４参照）などがある。
なお、カメラに装着して使用したり或いはカメラに内蔵して使用するフラッシュ装置として、フラッシュを発光する第１発光部とは別に、赤と青の異なる２色の単色光を発光する第２発光部を具備し、第１発光部のフラッシュ発光時に赤又は青のいずれか一方もしくは両方を所定時間だけ連続発光させて、フラッシュの色温度を、設定された色温度に補正するようにしたもの（例えば、特許文献５参照）がある。
（特許文献１）  特開２００１−３２０６２２号公報
（特許文献２）  実開平７−１４７３９号公報
（特許文献３）  特開平３−２８０７７８号公報
（特許文献４）  実用新案登録第３０８２８６７号公報
（特許文献５）  特開平１０−２０６９４２号公報
しかしながら、上記説明した従来のカメラを備えた携帯電話では、低照度環境下での画質向上のためにフラッシュ機能を実現するためのフラッシュ装置やＬＥＤが新たに必要となるため、以下に掲げる問題があった。すなわち、フラッシュ装置やＬＥＤ等の部品を携帯電話に内蔵すると、実装面積や厚みが増すために小型化できないという問題点があった。また、フラッシュ発光を行う際に大きなノイズが発生するため、他の部品に悪影響を及ぼしてしまうという問題点があった。さらに、新たな部品、すなわちフラッシュ装置やＬＥＤ等の部品を新たに実装する必要があるため、その分だけコストが増加してしまうという問題点もあった。
本発明は、上記従来の問題点に鑑みてなされたものであって、新たな部品を実装することなくフラッシュ機能を実現可能な電子機器および当該電子機器を用いた撮影方法を提供することを目的としている。
【発明の開示】
上記目的を達成するために、本発明に係る電子機器は、表示手段および撮像手段を備え、前記表示手段の表示面および前記撮像手段の撮像方向が同一方向に設定された電子機器であって、前記表示手段の表示輝度を少なくとも２つのレベルで切り替え制御し、前記撮像手段による撮像時は、前記表示手段が最も高い輝度レベルで所定画像を表示するよう制御する表示制御手段を備えている。したがって、新たな部品を実装することなくフラッシュ機能を実現することができる。結果として、新たに部品を追加することによる実装面積や厚みの増加、フラッシュ発光時におけるノイズの発生、コストの増加を解消できる。
また、本発明に係る電子機器は、前記表示制御手段は、前記撮像手段が撮像する瞬間の前後で前記表示手段の表示輝度を変化させ、前記撮像する瞬間前には前記表示手段の表示輝度を前記最も高い輝度レベルに切り替え、前記撮像する瞬間後には前記表示手段の表示輝度を前記最も高い輝度レベルよりも低い輝度レベルに切り替える。このように、撮影する瞬間だけ輝度を高めるため、低消費電力化を図ることができる。
また、本発明に係る電子機器は、前記所定画像は、前記表示手段を構成する画素の全てを白色に発光させた画像である。全画素を白色に発光させることで、フラッシュ発光時に必要な明るさを最も効率良く得ることができる。
また、本発明に係る電子機器は、前記所定画像は、前記撮像手段による撮像前に予め選択された画像であることが望ましい。
また、本発明に係る電子機器は、前記表示手段は、当該電子機器の正面側に設けられた第１の表示手段と、当該電子機器の背面側に設けられた第２の表示手段と、を有し、前記撮像手段は、当該電子機器の正面側に設けられた第１の撮像手段と、当該電子機器の背面側に設けられた第２の撮像手段と、を有し、前記表示制御手段は、前記第２の撮像手段を用いて撮影する場合、前記第２の表示手段に前記最も高い輝度レベルで前記所定画像を表示させ、かつ、前記第１の表示手段に任意の輝度レベルで前記第２の撮像手段からの画像を表示させ、前記第１の撮像手段を用いて撮影する場合、前記表示制御手段は、前記第１の表示手段に前記最も高い輝度レベルで前記所定画像を表示させ、かつ、前記第２の表示手段に任意の輝度レベルで任意の画像を表示させることが望ましい。
また、本発明に係る撮像方法は、表示手段および撮像手段を備え、前記表示手段の表示面および前記撮像手段の撮像方向が同一方向に設定された電子機器を用いた撮影方法であって、前記表示手段の表示輝度を少なくとも２つのレベルで切り替え制御し、前記撮像手段による撮像時は、前記表示手段が最も高い輝度レベルで所定画像を表示する。
さらに、本発明に係る撮像方法は、前記撮像手段が撮像する瞬間前には、前記表示手段の表示輝度を前記最も高い輝度レベルに切り替え、前記撮像手段が撮像する瞬間後には、前記表示手段の表示輝度を前記最も高い輝度レベルよりも低い輝度レベルに切り替える。
また、本発明に係る電子機器は、通電することで発光する発光手段と、前記発光手段を点灯制御する点灯制御手段と、前記点灯制御手段に対して前記発光手段の点灯を指示する点灯指示手段とを備え、前記点灯制御手段は、前記発光手段を第１の点灯用途のために第１の輝度で点灯させるとともに、前記点灯指示手段から点灯指示があったときには、前記発光手段を第２の点灯用途のために第２の輝度で点灯させる制御を行うことを特徴とする。
この構成によれば、１つの発光手段を複数の異なる輝度で点灯させて、様々な点灯用途に使用して各用途で適切な発光態様を得ることが可能となる。例えば、撮像手段を備えた電子機器において、第１の点灯用途が電話等の着信報知であるとし、第２の点灯用途での第２の輝度を第１の点灯用途での第１の輝度よりも高輝度とすることで、ＬＥＤ等の発光手段を撮像手段による撮影時のフラッシュ（撮影照明）として利用することが可能となる。この場合、低照度環境下でフラッシュを用いて画質向上を図るための専用の発光手段を設ける必要がなくなり、新規部材追加による実装面積や厚みの増加、コストの増加などを抑制でき、装置の小型化、低コスト化及び低ノイズ化を図れる。
また、本発明の一態様として、前記点灯制御手段は、通信手段による着信があった場合に前記第１の点灯用途として着信報知のために前記発光手段を点灯させることとする。
この構成によれば、発光手段を着信報知に用いることで、電話等の着信を視覚的に知らせることができる。
また、本発明の一態様として、前記点灯制御手段は、所定のアラーム設定時刻となった場合に前記第１の点灯用途として時刻アラーム報知のために前記発光手段を点灯させることとする。
この構成によれば、発光手段を時刻アラーム報知に用いることで、時刻アラームを視覚的に知らせることができる。
また、本発明の一態様として、前記点灯制御手段は、前記第２の点灯用途として撮像手段の撮影照明のために前記発光手段を発光させることとする。
この構成によれば、発光手段を第２の点灯用途として撮影照明に用いることにより、１つの発光手段を着信報知や時刻アラーム報知等として使用できるとともに、撮影照明として使用してフラッシュ発光を実行することができる。
また、本発明の一態様として、前記点灯制御手段は、前記第２の点灯用途として撮像手段の撮影照明を行う際に、前記撮像手段による撮影前に前記発光手段を第２の輝度で発光させるとともに、前記撮像手段による撮影時に前記発光手段を第２の輝度より明るい第３の輝度で発光させることとする。
この構成によれば、発光手段を撮影照明として用いる際に、例えば撮影前のプレ発光と撮影時のフラッシュ発光とを１つの発光手段で実現し、良好な画質の撮影画像を得ることが可能となる。
【図面の簡単な説明】  図１は、本発明に係る一実施形態の携帯電話装置の構成を示すブロック図であり、
図２は、本発明に係る一実施形態の携帯電話装置を示す外観図であり、
図３は、背面撮像部を用いて撮像を行う場合の、プレビュー時および撮影時における表示部および背面表示部の各表示内容および各表示輝度を示す説明図であり、
図４は、撮像部を用いて撮像を行う場合の、プレビュー時および撮影時における表示部および背面表示部の各表示内容および各表示輝度を示す説明図であり、
図５は、背面撮像部を用いて撮像する際の撮像処理手順を示すフローチャートであり、
図６は、撮像部を用いて撮像する際の撮像処理手順を示すフローチャートであり、
図７は、本発明に係る一実施形態の携帯電話装置の構成を示すブロック図であり、
図８は、本発明に係る一実施形態の携帯電話装置の外観構成を示す斜視図であり、（ａ）は正面側を示す図、（ｂ）は背面側を示す図であり、
図９は、本発明に係る一実施形態の携帯電話装置における第２撮像部を使用したときの撮影動作の概略手順を示すフローチャートであり、
図１０は、本発明に係る一実施形態の携帯電話装置のプレビュー時並びに撮像時におけるＬＥＤ部の輝度状態を示す動作説明図であり、
図１１は、本発明に係る一実施形態の携帯電話装置のＬＥＤ部の輝度変化を示す動作説明図であり、
図１２は、本発明に係る一実施形態の携帯電話装置の第１応用例の外観構成を示す斜視図であり、
図１３は、本発明に係る一実施形態の携帯電話装置の第２応用例の外観構成を示す斜視図であり、
図１４は、本発明に係る一実施形態の携帯電話装置の第３応用例の外観構成を示す斜視図である。
なお、図中の符号、１０１は携帯電話、１０２は無線送受信部、１０３は送受話部、１０４は送受話器、１０５は操作部、１０６はメモリ、１０７は制御部、１０８は表示部、１０９は背面表示部、１１０は撮像部、１１１は背面撮像部、１１２はアンテナ、２０１はアンテナ、２０２は無線送受信部、２０３は送受話器、２０４は送受話部、２０５は操作部、２０６は記憶部、２０７はＬＥＤ部、２０８は第１表示部、２０９は第２表示部、２１０は第１撮像部、２１１は第２撮像部、２１２は第１表示部用光源部、２１３は第２表示部用光源部、２１４は制御部、２１５は反射材である。
【発明を実施するための最良の形態】（第１実施形態）
本発明に係る電子機器および当該電子機器を用いた撮影方法の実施の形態について、図面を参照しながら説明する。本実施形態では、本発明に係る電子機器としてカメラ付き携帯電話（以下、単に「携帯電話」という。）を例に説明する。但し、表示部を備えた電子機器であれば携帯電話に限らず、ＰＤＡやノート型ＰＣ、デジタルカメラ等に適用しても良い。
図１は、本発明に係る一実施形態の携帯電話の構成を示すブロック図である。本実施形態の携帯電話１０１は、アンテナ１１２と、無声送受信部１０２と、送受話部３と、送受話器１０４と、操作部１０５と、メモリ１０６と、請求の範囲の表示制御手段に該当する制御部１０７と、表示手段および第１の表示手段に該当する表示部１０８と、表示手段および第２の表示手段に該当する背面表示部１０９と、撮像手段および第１の撮像手段に該当する撮像部１１０と、撮像手段および第２の撮像手段に該当する背面撮像部１１１とを備えて構成されている。
ユーザが操作部１０５を操作して携帯電話１０１の電源を投入すると、制御部１０７は電源投入を検知して、各部を動作可能な状態にする。そして、操作部１０５を操作して相手先の電話番号を入力して、または操作部１０５を操作してメモリ１０６に登録された相手先の電話番号を呼び出して発信キーを押すと、無声送受信部１０２を介してアンテナ１１２から基地局に対し、発呼のための無線送信が行われる。相手先が応答すると、制御部１０７は、基地局から送られた応答信号をアンテナ１１２を介して無声送受信部１０２で受信し、送受話部３を動作可能な状態にする。これにより、携帯電話１０１のユーザは、送受話器１０４を介して相手先と通話することができる。
また、表示部１０８および背面表示部１０９は、携帯電話１０１の電源投入時にその旨の表示を行い、電話番号を入力したときまたは呼び出したときにその電話番号を表示し、相手先が応答した時にはその旨の表示を行う。また、制御部１０７は、被写体の撮影時に表示部１０８および背面表示部１０９を制御して、ユーザが操作部１０５を操作することによって撮像が行われると、撮像された画像データをメモリ１０６に転送および保存する。
図２は、本実施形態の携帯電話１０１を示す外観図である。同図に示すように、本実施形態の携帯電話１０１は、上側筐体１ａと下側筐体１ｂがヒンジ部１ｃを介して開閉自在な折り畳み式のものである。図２（Ａ）に示すように、上側筐体１ａの内側の面（正面）には表示部１０８と撮像部１１０が同一面上に配置されており、上側筐体１ａの外側の面（背面）には電源キー１１５やシャッターキー１１６等の各種キーを含む操作部１０５が設けられている。また、図２（Ｂ）に示すように、上側筐体１ａの背面には、背面表示部１０９と背面撮像部１１０が同一面上に配置されている。このように、本実施形態の携帯電話１０１には撮像部が２個搭載されている。
また、被写体を撮像する際には、使用する撮像部によって表示部１０８、背面表示部１０９の表示内容および輝度が異なる。図３は、背面撮像部１１１を用いて撮像を行う場合の、プレビュー時および撮影時における表示部１０８および背面表示部１０９の各表示内容および各表示輝度を示す説明図である。また、図４は、撮像部１１０を用いて撮像を行う場合の、プレビュー時および撮影時における表示部１０８および背面表示部１０９の各表示内容および各表示輝度を示す説明図である。
図３に示すように、背面撮像部１１１を用いて撮像を行う際のプレビュー時、表示部１０８には任意の輝度で背面撮像部１１１からの画像が表示され、背面表示部１０９には輝度１でフラッシュ専用画像が表示される。また、背面撮像部１１１を用いた撮像時、表示部１０８には任意の輝度で背面撮像部１１１からの画像が表示され、背面表示部１０９には輝度２でフラッシュ専用画像が表示される。なお、輝度１と輝度２とでは輝度２の方が輝度レベルは高く、輝度２でのフラッシュ専用画像の表示がフラッシュの役割を果たす。また、プレビュー時に背面表示部１０９に表示されるフラッシュ専用画像と、撮影時に背面表示部１０９に表示されるフラッシュ専用画像とは同一である必要はなく、異なる画像としても良い。
一方、図４に示すように、撮像部１１０を用いて撮像を行う際のプレビュー時、表示部１０８には輝度３で撮像部１１０からの画像が表示され、背面表示部１０９には輝度４でフラッシュ専用画像が表示される。また、撮像部１１０を用いた撮像時、表示部１０８は任意の輝度で任意の表示を行い、背面表示部１０９も任意の輝度で任意の表示を行う。なお、輝度３と輝度４とでは輝度４の方が輝度レベルは高く、輝度４でのフラッシュ専用画像の表示がフラッシュの役割を果たす。
なお、フラッシュ専用画像は、予めメモリ１０６に登録された画像データを読み出すことによって表示されるものでも良いし、全画素を単に白色とした表示であっても良い。全画素を白色に発光させることで、フラッシュ発光時に必要な明るさを最も効率良く得ることができる。但し、赤色、青色、緑色とすれば通常と異なる特殊撮影が可能となる。例えば、全画素が赤色に発光させることで、撮影画像に面白い効果を与えることができる。
また、フラッシュ専用画像は１種類でも良いが、複数種類用意することも可能である。例えば、複数種類のフラッシュ専用画像を予めメモリに登録しておき、操作部１０５による所定のキー操作によって所望のフラッシュ専用画像を撮影開始前に選択しても良い。
次に、本実施形態の携帯電話１０１を用いて撮像を行う際の携帯電話１０１の動作（フラッシュ撮影方法）について、図５および図６を参照して説明する。
図５は、背面撮像部１１１を用いて撮像する際の撮像処理手順を示すフローチャートである。同図に示す撮像処理手順を実行するプログラムは制御部１０７内のメモリ（図示せず）に格納されており、例えば、ユーザが所定のキー操作を行うことより撮影準備段階に入ると、制御部１０７内のＣＰＵ（図示せず）は当該プログラムを実行する。
背面撮像部１１１を用いて撮像（背面撮像）する場合、ファインダの代わりに表示部１０８を使用し、背面表示部１０９をフラッシュ光源に使用する。まず、撮影準備段階であるプレビュー時には、背面表示部１０９に輝度１の輝度レベルでフラッシュ専用画面を表示し、表示部１０８に背面撮像部１１１からの画像を任意の輝度で連続的に表示するプレビュー動作を行う（ステップＳ１１）。なお、ステップＳ１１におけるプレビュー動作では、輝度１の明るさとして輝度が値０となる黒の画面を、背面表示部１０９に表示させても良いが、照度が低い環境ではプレビュー画面が暗くなり被写体が見えにくいような場合、被写体を照らすライト代わりに使用するため、ある程度の明るさ持った輝度１で背面表示部１０９を点灯させることが好ましい。
次に、プレビュー動作中、シャッターキー１１６が押されたかを判断する（ステップＳ１２）。シャッターキー１１６が押されない場合はステップＳ１１に戻ってプレビュー動作を継続し、シャッターキー１１６が押された場合（つまり撮像時）は、背面表示部１０９の表示輝度を輝度１よりも明るい輝度２に設定してフラッシュ動作を行い、このタイミングに合わせて背面撮像部１１１が撮像を行う（ステップＳ１３）。なお、輝度２はフラッシュ光に見合った輝度に予め設定されている。次に、背面撮像部１１１で撮像された画像の画像データを取り込み、メモリ１０６に保存する（ステップＳ１４）。なお、ステップＳ１３における撮像時の表示部１０８の表示輝度は、プレビュー表示に見合った任意の輝度で良い。
画像データの取り込み後、背面表示部１０９の表示輝度を輝度２から輝度１に戻して、フラッシュ専用画像を表示する（ステップＳ１５）。この後、操作部１０５で所定のキー操作が行われて撮影終了とされたかを判別する（ステップＳ１６）。撮影終了でない場合はステップＳ１１の処理に戻り、撮影終了である場合は本処理を終了する。
図６は、撮像部１１０を用いて撮像する際の撮像処理手順を示すフローチャートである。同図に示す撮像処理手順を実行するプログラムは制御部１０７内のメモリ（図示せず）に格納されており、例えば、ユーザが所定のキー操作を行うことにより撮影準備段階に入ると、制御部１０７内のＣＰＵ（図示せず）は当該プログラムを実行する。
撮像部１１０を用いて撮像（正面撮像）する場合、表示部１０８をファインダの代わりに使用すると共にフラッシュ光源にも使用する。この場合、背面表示部１０９はフラッシュ光源の用途には使用されないため、プレビュー時、撮影時のどちらも任意の輝度で任意の画像を表示する。まず、撮影準備段階であるプレビュー時には、表示部１０８に輝度３の輝度レベルで撮像部１１０からの画像を連続的に表示するプレビュー動作を行う（ステップＳ２１）。
次に、プレビュー動作中、シャッターキー１１６が押されたかを判断する（ステップＳ２２）。シャッターキー１１６が押されない場合はステップＳ２１に戻ってプレビュー動作を継続し、シャッターキー１１６が押された場合（つまり撮像時）は、表示部１０８の表示輝度を輝度３よりも明るい輝度４に設定すると同時に表示画面をフラッシュ専用画像に切り替えてフラッシュ動作を行い、このタイミングに合わせて撮像部１１０が撮像を行う（ステップＳ２３）。なお、輝度４はフラッシュ光に見合った輝度に予め設定されている。次に、撮像部１１０で撮像された画像の画像データを取り込み、メモリ１０６に保存する（ステップＳ２４）。
画像データの取り込み後、表示部１０８の表示輝度を輝度４から輝度３に戻すと共に、表示画面を撮像部１１０からの画像に切り替える（ステップＳ２５）。この後、操作部１０５で所定のキー操作が行われて撮影終了とされたかを判別する（ステップＳ２６）。撮影終了でない場合はステップＳ２１の処理に戻り、撮影終了である場合は本処理を終了する。
以上説明したように、本実施形態の携帯電話１０１では、撮像する際に表示部１０８または背面表示部１０９から発する光をフラッシュ光源として利用する。これにより、フラッシュ装置やＬＥＤ等の部品を新たに実装することなく、フラッシュ機能を実現できる。結果として、新たに部品を追加することによる実装面積や厚みの増加、フラッシュ発光時におけるノイズの発生、コストの増加といった問題を解消できる。フラッシュ光源として用いられる表示部１０８または背面表示部１０９の表示輝度は、撮影する瞬間（撮影時）だけ輝度を高めるため、低消費電力化を図ることができる。
なお、本実施形態の携帯電話１０１は、撮像部および表示部をそれぞれ２つ搭載しているが３つ以上であっても良く、また互いに異なる数であっても良い。また、輝度の変更は段階的であっても連続的であっても良い。また、撮影時における背面表示部１０９の輝度２および表示部１０８の輝度４は、フラッシュ光に見合った所定の範囲内でユーザが任意に設定可能であっても良い。さらに、表示部１０８および背面表示部１０９は、例えば、バックライト付き液晶表示装置、プラズマディスプレイ、有機ＥＬ、ＦＥＤ（フィールドエミッションディスプレイ）、発光ダイオードアレイ等を挙げることができる。
（第２実施形態）
以下、図面を参照して本発明の実施形態を説明する。
本実施形態では、携帯電話装置に適用した例によって電子機器の構成例を説明する。図７は、本発明の一実施形態に係る携帯電話装置の構成を示すブロック図である。また、図８は本実施形態に係る携帯電話装置の外観構成を示す斜視図であり、（ａ）は正面側を示し、（ｂ）は背面側を示す。
図７において、本実施形態の携帯電話装置は、アンテナ２０１と、無線信号の送受信を行う通信手段としての無線送受信部２０２と、マイクとスピーカとを有する送受話器２０３と、送受話部２０４と、本装置を操作するための複数のキーボタンからなる操作部２０５と、半導体メモリ等の記憶素子からなる記憶部２０６と、着信や充電状態など装置本体の状態の報知に用いられるＬＥＤ部２０７とを備えている。また、携帯電話装置は、液晶表示素子（ＬＣＤ）等からなる第１表示部２０８及び第２表示部２０９と、ＣＣＤ（Ｃｈａｒｇｅ  Ｃｏｕｐｌｅｄ  Ｄｅｖｉｃｅ）撮像素子あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）撮像素子等による撮像手段としての第１撮像部２１０及び第２撮像部２１１と、第１表示部用光源部２１２と、第２表示部用光源部２１３と、本装置を構成する各部を制御する制御部２１４とを備えている。
送受話部２０４は、通話相手の音声を送受話器２０３のスピーカへ出力するとともに、送受話器２０３のマイクに入力された本装置のユーザの音声を制御部２１４へ送出する。第１表示部２０８及び第２表示部２０９は、本装置の各種機能実行時における動作内容の表示に用いられる。
ここで、第１表示部２０８と第１撮像部２１０は、図８の（ａ）に示すように、携帯電話装置の正面側に設けられている。また、第２表示部２０９と第２撮像部２１１は、図８の（ｂ）に示すように、携帯電話装置の背面側に設けられている。ＬＥＤ部２０７は、図８の（ａ）及び（ｂ）に示すように、装置本体の上端部に、正面側と背面側の両方にわたってどちらの面からでも発光した光が見えるような形態で配設されている。
ＬＥＤ部２０７は、請求の範囲に記載の発光手段に相当するもので、例えば赤，緑，青の３色のＬＥＤ（発光ダイオード）を備えて構成され、これらの色違いのＬＥＤを用いて、白をはじめとした何種類もの色を実現し、点灯パターンや輝度を変化させることで、１箇所のＬＥＤ部２０７だけで色々な報知パターンを実現している。例えば、上述したように、着信や充電状態など装置本体の状態の報知を行う。また、電源が入っていることを示す起動状態の報知機能や、赤外線のような光を用いて他の携帯電話装置等とデータを交換する通信機能も有する。さらに、ＬＥＤ部２０７は、操作部２０５における点灯指示手段としてのシャッタボタンが操作された場合に撮影照明として白色で高輝度に発光するフラッシュ機能を有している。
制御部２１４は、請求の範囲に記載の点灯制御手段に相当するもので、ＬＥＤ部２０７の点灯パターンや輝度などの発光態様を制御する。なお、ＬＥＤ部２０７を第２表示部２０９の第２表示部用光源部２１３と共用し、モノクロ表示素子のような表示色の少ない第２表示部２０９に対して表示上のバリエーションを増やすことも流用することも可能である。
第１表示部用光源部２１２は、ＬＥＤ等からなり、第１表示部２０８を暗い環境下で見やすくするために用いられるいわゆるバックライトやフロントライトを構成する。同様に、第２表示部用光源部２１３は、ＬＥＤ等からなり、第２表示部２０９を暗い環境下で見やすくするために用いられるいわゆるバックライトやフロントライトを構成する。
次に、上記のように構成された本実施形態の携帯電話装置の動作について説明する。
ユーザが操作部２０５にて電源を投入する操作を行うと、その操作が制御部２１４で検知されて装置各部を動作可能な状態にする。装置が使用可能な状態になった後、ユーザが操作部２０５にて発呼先の相手の電話番号をダイヤルする操作を行うか、あるいは記憶部２０６に記憶されている発呼先の相手の電話番号を呼び出す操作を行って発信キーボタンを操作すると、制御部２１４は発呼動作を行い、無線送受信部２０２を介してアンテナ１から呼び出しのための無線信号を送信する。
アンテナ２０１より送信された無線信号は、図示しない基地局にて受信される。基地局はその無線信号を受信すると、発呼元のユーザが通話目的とする相手に対して発呼を行う。この発呼により相手が応答すると、この応答のための無線信号がアンテナ２０１を介して無線送受信部２０２にて受信される。これにより、制御部２１４の制御のもとで送受話部２０４が動作可能になり、送受話器２０３を用いて相手と通話可能になる。
また、電源投入時には、制御部２１４の表示制御により、第１表示部２０８及び第２表示部２０９において電源投入状態を表す表示が行われる。また、電話番号が入力されたときや記憶部２０６に記憶されている電話番号の呼び出しが行われたときには、制御部２１４の制御によってそれぞれの電話番号が第１表示部２０８や第２表示部２０９に表示される。また、相手が応答したときにはその旨が第１表示部２０８や第２表示部２０９に表示される。
ＬＥＤ部２０７は、制御部２１４の制御に基づき、着信音とともに着信を報知するために点灯する。また、通話中、充電中、充電完了などの装置の状態を発光状態によって示したり、第１表示部２０８や第２表示部２０９がオフ状態でも電源が入っていることを示すなどの報知を行う。
また、制御部２１４は、被写体の撮影時に第１撮像部２１０及び第２撮像部２１１を制御して撮影画像の取り込みを行う。このとき、制御部２１４は、操作部２０５の撮影指示操作によりシャッタが切られると、第１撮像部２１０又は第２撮像部２１１により撮像されて得られた画像データを撮像データとして記憶部２０６へ転送し保存する。
ここで、第２撮像部２１１を使用して撮影する場合の撮影動作、及び撮影動作におけるＬＥＤ部２０７の輝度状態について説明する。図９は第２撮像部２１１を使用したときの撮影動作の概略手順を示すフローチャートである。また、図１０はプレビュー時、撮像時におけるＬＥＤ部２０７の輝度状態を示す動作説明図である。
本実施形態では、第２撮像部２１１を用いて撮影する場合、第１表示部２０８もしくは第２表示部２０９をファインダ代わりに使用して被写体の撮影画像を表示し、ＬＥＤ部２０７をフラッシュ光源として使用する。撮影開始時には、第２撮像部２１１の動作状態を示すために、図１０に示すように、ＬＥＤ部２０７の赤のＬＥＤを点灯させ、輝度「２」の状態として撮像部が動作中であることを示し（ステップＳ３１）、第２撮像部２１１によって得られた画像データを連続的に第１表示部２０８もしくは第２表示部２０９に表示するプレビュー動作を実行する（ステップＳ３２）。
なお、ここで輝度「２」の状態とする代わりに、停止時（非動作時）と同様の輝度「０」である消灯としても構わない。しかし、室内のような暗い環境下で撮影を行う際、暗所で人間の目の瞳孔が開いているために光が眼底に反射して赤く写ってしまう赤目現象を起こすことがある。本実施形態では、被写体を照らすライト代わりにも使用するため、ある程度の明るさを持った輝度「２」の明るさでＬＥＤ部２０７を点灯させ、フラッシュ発光時のプリ発光として機能させる。
次に、操作部２０５のシャッタボタンが押されたかどうかを判定する（ステップＳ３３）。ここで、シャッタボタンが押されてなければステップＳ３２のプレビュー動作を繰り返し、シャッタボタンが押されてシャッタが切られると、制御部２１４は、ＬＥＤ部２０７の緑と青の各ＬＥＤを同時点灯させて、輝度を輝度「２」より明るい輝度「３」にし、フラッシュ発光動作を実行する（ステップＳ３４）。そして、このフラッシュ発光のタイミングに合わせて第２撮像部２１１により撮像されて得られた画像データを撮像データとして記憶部２０６に保存する（ステップＳ３５）。撮像データを取り込んだ後、ＬＥＤ部２０７の緑と青の各ＬＥＤを消灯して輝度「３」から輝度「２」へ戻し、フラッシュ発光を終了する（ステップＳ３６）。
図１１はＬＥＤ部２０７の輝度変化を示す動作説明図である。図１１において、赤，緑，青の横にそれぞれ並べて記載した四角を１単位時間とした場合、「ＯＮ」と記している部分はＬＥＤが１単位時間点灯していることを表している。
電話通話等の着信がなく、表示も停止している場合、すなわち図１１の（ａ）に示す場合、ＬＥＤ部２０７は輝度「０」となる。この状態で着信があると、（ｂ）に示すように、緑と青の各ＬＥＤが同時点灯／同時消灯のパターンを所定の周期（ここでは６単位時間＝１周期）で繰り返す（第１の点灯用途による発光）。そして、プレビュー動作となった場合、（ｃ）に示すように、赤のＬＥＤのみが常時点灯する。この状態でシャッタボタンを押して撮影を行うと、（ｄ）に示すように、緑と青の各ＬＥＤが１単位時間点灯し、フラッシュ発光動作となる（第２の点灯用途による発光）。
このように、本実施形態の携帯電話装置によれば、新たにフラッシュ装置や発光ダイオードを追加する必要が無くフラッシュ機能を実現でき、新規部材追加による実装面積や厚みの増加、コストの増加、及びノイズの増加といった問題を解決できることとなる。また、撮像する瞬間だけ輝度を高めることができるため、低消費電力化が図れる。
なお、上記実施形態では、ＬＥＤ部２０７の輝度の変化を色の異なるＬＥＤを点灯することで実現したが、同一色のＬＥＤを複数個用いる、もしくはＬＥＤに流す電流値を多くすることで、輝度の変化を実現するようにしてもよい。
また、上記実施形態では、ＬＥＤ部２０７の第１の点灯用途を電話等の着信報知とし、第２の点灯用途をフラッシュ発光としたが、第１の点灯用途あるいは新たな第３の点灯用途として、所定のアラーム設定時刻となった場合の時刻アラーム報知、電子メールの受信報知などに用いることも可能である。
また、上記実施形態では、第２撮像部２１１により撮像する場合の動作例を示したが、第１撮像部２１０でも同様に実現可能である。
また、上記実施形態では、撮像部を２個（第１撮像部２１０と第２撮像部２１１）、表示部も２個（第１表示部２０８と第２表示部２０９）搭載している構成例を示したが、撮像部及び表示部の個数に関わらず、撮像動作フロー及び撮像時の各表示部の表示内容、輝度は同様に考えられる。このため、本発明の一実施形態と何ら変わることがない。
また、上記実施形態では、ＬＥＤ部２０７の発光によってフラッシュ機能を実現したが、第１表示部用光源部２１２又は第２表示部用光源部２１３でフラッシュ機能を実現することも可能である。すなわち、正面側の第１撮像部２１０で撮影する場合、第１表示部用光源部２１２の輝度を高めてフラッシュ発光させ、背面側の第２撮像部２１１で撮影する場合、第２表示部用光源部２１３の輝度を高めてフラッシュ発光させればよい。
また、上記実施形態では、携帯電話装置にＬＥＤの輝度制御を適用した場合であったが、カメラ付きのＰＤＡ（携帯情報端末）等の電子機器は勿論のこと、パーソナルコンピュータ（所謂ノートパソコン）にも適用可能である。
次に、本実施形態に係る携帯電話装置の応用例を説明する。
図１２は、本実施形態に係る携帯電話装置の第１応用例の外観構成を示す斜視図である。第１応用例は、ＬＥＤ部１２を装置本体に対して前後（撮像部の撮像面に対して垂直方向）にスライドできるように配設したものである。このように構成することで、フラッシュ発光時の照度を高めることができる。
図１３は、本実施形態に係る携帯電話装置の第２応用例の外観構成を示す斜視図である。第２応用例は、ＬＥＤ部１２を装置本体に対して上下（撮像部の撮像面に対して平行方向）にスライドできるように配設したものである。このように構成することで、第１応用例と同様にフラッシュ発光時の照度を高めることができる。
図１４は、本実施形態に係る携帯電話装置の第３応用例の外観構成を示す斜視図である。第３応用例は、ＬＥＤ部１２の周囲に反射材２１５を設けたものである。この反射材２１５は、光が装置本体に対して前方（撮像部の撮像面に対して前方方向）に広がるように角度付けして配置されている。なお、装置本体の背面側も同様の反射材を設けている。このように構成することで、第１及び第２応用例と同様にフラッシュ発光時の照度を高めることができる。
なお、ＬＥＤ部１２を配置する位置は、図８、図１２〜図１４に示した位置に限らず、装置構成などに応じて任意にいずれの位置に設けてもよい。例えば、装置本体の正面部、背面部、正面部と背面部の両方、側面部、筐体角部近傍、ヒンジ部またはヒンジ部近傍、操作部側の端部など、適宜ＬＥＤ部を設けることができる。
上述した本実施形態によれば、ＬＥＤ等からなる１つの発光手段を用途別に異なる輝度で点灯させることによって、複数の用途に使用することができ、例えば第１の点灯用途が着信報知であるとすると、第２の点灯用途での第２の輝度を第１の点灯用途での第１の輝度よりも高輝度とすることによりカメラ撮影時のフラッシュとして利用することが可能となる。これにより、低照度環境下での画質向上を図るための専用の発光手段を設ける必要がなくなり、新規部材追加により実装面積や厚みが増加したりする問題を解決できるとともに、材料費がかかりコストが増加したり、また発光手段が増加することにより、ノイズも増加するという問題を解決することができる。したがって、本実施形態では、撮像手段を備えた電子機器において、フラッシュ機能を搭載して低照度環境下での画質向上を図りながらも、小型化、低コスト化及び低ノイズ化を図ることができる。
また、発光手段の第１の点灯用途を着信報知とすることにより、使用者は電話等の着信を視覚的に認識することができる。また、発光手段の第１の点灯用途を時刻アラーム報知とすることにより、使用者は設定時刻の時刻アラームを視覚的に認識することができる。また、発光手段の第２の点灯用途を撮影照明とすることにより、１つの発光手段を着信報知や時刻アラーム報知として使用できるとともに、撮影照明として使用することができる。
本発明を詳細にまた特定の実施態様を参照して説明したが、本発明の精神と範囲を逸脱することなく様々な変更や修正を加えることができることは当業者にとって明らかである。
本出願は、２００２年１２月１２日出願の日本特許出願Ｎｏ．２００２−３６０８４３、２００２年１２月２６日出願の日本特許出願Ｎｏ．２００２−３７７２０８に基づくものであり、その内容はここに参照として取り込まれる。
【産業上の利用可能性】  以上説明したように、本発明に係る電子機器および当該電子機器を用いた撮影方法によれば、新たな部品を実装することなくフラッシュ機能を実現する電子機器を提供可能である。結果として、新たに部品を追加することによる実装面積や厚みの増加、フラッシュ発光時におけるノイズの発生、コストの増加を解消できる。
【図１】
2004054239.tif 000003
【図２】
2004054239.tif 000004
【図３】
2004054239.tif 000005
【図４】
2004054239.tif 000006
【図５】
2004054239.tif 000007
【図６】
2004054239.tif 000008
【図７】
2004054239.tif 000009
【図８】
2004054239.tif 000010
【図９】
2004054239.tif 000011
【図１０】
2004054239.tif 000012
【図１１】
2004054239.tif 000013
【図１２】
2004054239.tif 000014
【図１３】
2004054239.tif 000015
【図１４】
2004054239.tif 000016
【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
表示手段および撮像手段を備え、前記表示手段の表示面および前記撮像手段の撮像方向が同一方向に設定された電子機器であって、
前記表示手段の表示輝度を少なくとも２つのレベルで切り替え制御し、前記撮像手段による撮像時は、前記表示手段が最も高い輝度レベルで所定画像を表示するよう制御する表示制御手段を備えたことを特徴とする電子機器。
【請求項２】
前記表示制御手段は、
前記撮像手段が撮像する瞬間の前後で前記表示手段の表示輝度を変化させ、
前記撮像する瞬間前には前記表示手段の表示輝度を前記最も高い輝度レベルに切り替え、前記撮像する瞬間後には前記表示手段の表示輝度を前記最も高い輝度レベルよりも低い輝度レベルに切り替えることを特徴とする請求項１記載の電子機器。
【請求項３】
前記所定画像は、前記表示手段を構成する画素の全てを白色に発光させた画像であることを特徴とする請求項１または２記載の電子機器。
【請求項４】
前記所定画像は、前記撮像手段による撮像前に予め選択された画像であることを特徴とする請求項１または２記載の電子機器。
【請求項５】
前記表示手段は、当該電子機器の正面側に設けられた第１の表示手段と、当該電子機器の背面側に設けられた第２の表示手段と、を有し、
前記撮像手段は、当該電子機器の正面側に設けられた第１の撮像手段と、当該電子機器の背面側に設けられた第２の撮像手段と、を有し、
前記表示制御手段は、
前記第２の撮像手段を用いて撮影する場合、
前記第２の表示手段に前記最も高い輝度レベルで前記所定画像を表示させ、かつ、前記第１の表示手段に任意の輝度レベルで前記第２の撮像手段からの画像を表示させ、
前記第１の撮像手段を用いて撮影する場合、
前記表示制御手段は、前記第１の表示手段に前記最も高い輝度レベルで前記所定画像を表示させ、かつ、前記第２の表示手段に任意の輝度レベルで任意の画像を表示させることを特徴とする請求項１、２、３または４記載の電子機器。
【請求項６】
表示手段および撮像手段を備え、前記表示手段の表示面および前記撮像手段の撮像方向が同一方向に設定された電子機器を用いた撮影方法であって、
前記表示手段の表示輝度を少なくとも２つのレベルで切り替え制御し、前記撮像手段による撮像時は、前記表示手段が最も高い輝度レベルで所定画像を表示することを特徴とする撮影方法。
【請求項７】
前記撮像手段が撮像する瞬間前には、前記表示手段の表示輝度を前記最も高い輝度レベルに切り替え、
前記撮像手段が撮像する瞬間後には、前記表示手段の表示輝度を前記最も高い輝度レベルよりも低い輝度レベルに切り替えることを特徴とする請求項６記載の撮影方法。
【請求項８】
通電することで発光する発光手段と、
前記発光手段を点灯制御する点灯制御手段と、
前記点灯制御手段に対して前記発光手段の点灯を指示する点灯指示手段とを備え、
前記点灯制御手段は、前記発光手段を第１の点灯用途のために第１の輝度で点灯させるとともに、前記点灯指示手段から点灯指示があったときには、前記発光手段を第２の点灯用途のために第２の輝度で点灯させる制御を行うことを特徴とする電子機器。
【請求項９】
前記点灯制御手段は、通信手段による着信があった場合に前記第１の点灯用途として着信報知のために前記発光手段を点灯させることを特徴とする請求項８に記載の電子機器。
【請求項１０】
前記点灯制御手段は、所定のアラーム設定時刻となった場合に前記第１の点灯用途として時刻アラーム報知のために前記発光手段を点灯させることを特徴とする請求項８に記載の電子機器。
【請求項１１】
前記点灯制御手段は、前記第２の点灯用途として撮像手段の撮影照明のために前記発光手段を発光させることを特徴とする請求項８〜１０のいずれかに記載の電子機器。
【請求項１２】
前記点灯制御手段は、前記第２の点灯用途として撮像手段の撮影照明を行う際に、前記撮像手段による撮影前に前記発光手段を第２の輝度で発光させるとともに、前記撮像手段による撮影時に前記発光手段を第２の輝度より明るい第３の輝度で発光させることを特徴とする請求項１１に記載の電子機器。
【手続補正２】
【補正対象書類名】明細書
【補正対象項目名】全文
【補正方法】変更
【補正の内容】
【書類名】    明細書
【技術分野】
【０００１】
本発明は、フラッシュ機能を実現可能な電子機器および当該電子機器を用いた撮影方法に関する。
【背景技術】
【０００２】
近年、携帯電話やＰＨＳ等の移動体通信端末の高性能化および高機能化が進み、様々な種類の通信端末が販売されている。その中でも、今日、圧倒的にユーザに支持されているものがカメラ付き携帯電話である。このカメラ付き携帯電話は、今後、デジタルカメラ並みの画質に向上することが望まれている。
【０００３】
画質の向上のためには、固体撮像素子（ＣＣＤセンサ、ＣＭＯＳセンサ等）の感度や精細度といった性能の向上が必要であるが、照度が低い環境下で撮影する画像の画質の向上を実現するためにはフラッシュ機能が考えられる。このため、フラッシュ装置内蔵の携帯電話（例えば、特許文献１参照）や、携帯電話の周辺機器としてのフラッシュ装置装置が考案されている。特に、最近では、高輝度ＬＥＤを内蔵することにより、フラッシュ機能を有した携帯電話も考えられている。
【０００４】
また、従来の携帯電話装置や固定電話装置などには着信時の呼び出しとしてランプを点滅させたり、放電管等のフラッシュランプによるフラッシュ装置を設けて発光させたりするものがある。また、携帯電話装置等にランプやフラッシュ装置を内蔵させるのではなく、外部に専用に設けたものもある。
【０００５】
このような着信時に可視光の点滅を行うようにした従来例としては、固定電話機とは別体であって、フラッシュランプを備え、着信があると、呼び出し信号に同期してフラッシュランプを発光させるもの（例えば、特許文献２参照）がある。また、バックライト付きの液晶表示器を備え、着信があると、液晶表示器のバックライトを点滅発光させるもの（例えば、特許文献３参照）、携帯電話装置とは別体であって、発光素子を備え、携帯電話装置に着信があると、発光素子を発光させるもの（例えば、特許文献４参照）などがある。
【０００６】
なお、カメラに装着して使用したり或いはカメラに内蔵して使用するフラッシュ装置として、フラッシュを発光する第１発光部とは別に、赤と青の異なる２色の単色光を発光する第２発光部を具備し、第１発光部のフラッシュ発光時に赤又は青のいずれか一方もしくは両方を所定時間だけ連続発光させて、フラッシュの色温度を、設定された色温度に補正するようにしたもの（例えば、特許文献５参照）がある。
【特許文献１】  特開２００１−３２０６２２号公報
【特許文献２】  実開平７−１４７３９号公報
【特許文献３】  特開平３−２８０７７８号公報
【特許文献４】  実用新案登録第３０８２８６７号公報
【特許文献５】  特開平１０−２０６９４２号公報
【発明の開示】
【発明が解決しようとする課題】
【０００７】
しかしながら、上記説明した従来のカメラを備えた携帯電話では、低照度環境下での画質向上のためにフラッシュ機能を実現するためのフラッシュ装置やＬＥＤが新たに必要となるため、以下に掲げる問題があった。すなわち、フラッシュ装置やＬＥＤ等の部品を携帯電話に内蔵すると、実装面積や厚みが増すために小型化できないという問題点があった。また、フラッシュ発光を行う際に大きなノイズが発生するため、他の部品に悪影響を及ぼしてしまうという問題点があった。さらに、新たな部品、すなわちフラッシュ装置やＬＥＤ等の部品を新たに実装する必要があるため、その分だけコストが増加してしまうという問題点もあった。  【０００８】
本発明は、上記従来の問題点に鑑みてなされたものであって、新たな部品を実装することなくフラッシュ機能を実現可能な電子機器および当該電子機器を用いた撮影方法を提供することを目的としている。
【課題を解決するための手段】
【０００８】
上記目的を達成するために、本発明に係る電子機器は、表示手段および撮像手段を備え、前記表示手段の表示面および前記撮像手段の撮像方向が同一方向に設定された電子機器であって、前記表示手段の表示輝度を少なくとも２つのレベルで切り替え制御し、前記撮像手段による撮像時は、前記表示手段が最も高い輝度レベルで所定画像を表示するよう制御する表示制御手段を備えている。したがって、新たな部品を実装することなくフラッシュ機能を実現することができる。結果として、新たに部品を追加することによる実装面積や厚みの増加、フラッシュ発光時におけるノイズの発生、コストの増加を解消できる。
【０００９】
また、本発明に係る電子機器は、前記表示制御手段は、前記撮像手段が撮像する瞬間の前後で前記表示手段の表示輝度を変化させ、前記撮像する瞬間前には前記表示手段の表示輝度を前記最も高い輝度レベルに切り替え、前記撮像する瞬間後には前記表示手段の表示輝度を前記最も高い輝度レベルよりも低い輝度レベルに切り替える。このように、撮影する瞬間だけ輝度を高めるため、低消費電力化を図ることができる。
【００１０】
また、本発明に係る電子機器は、前記所定画像は、前記表示手段を構成する画素の全てを白色に発光させた画像である。全画素を白色に発光させることで、フラッシュ発光時に必要な明るさを最も効率良く得ることができる。
【００１１】
また、本発明に係る電子機器は、前記所定画像は、前記撮像手段による撮像前に予め選択された画像であることが望ましい。
【００１２】
また、本発明に係る電子機器は、前記表示手段は、当該電子機器の正面側に設けられた第１の表示手段と、当該電子機器の背面側に設けられた第２の表示手段と、を有し、前記撮像手段は、当該電子機器の正面側に設けられた第１の撮像手段と、当該電子機器の背面側に設けられた第２の撮像手段と、を有し、前記表示制御手段は、前記第２の撮像手段を用いて撮影する場合、前記第２の表示手段に前記最も高い輝度レベルで前記所定画像を表示させ、かつ、前記第１の表示手段に任意の輝度レベルで前記第２の撮像手段からの画像を表示させ、前記第１の撮像手段を用いて撮影する場合、前記表示制御手段は、前記第１の表示手段に前記最も高い輝度レベルで前記所定画像を表示させ、かつ、前記第２の表示手段に任意の輝度レベルで任意の画像を表示させることが望ましい。
【００１３】
また、本発明に係る撮像方法は、表示手段および撮像手段を備え、前記表示手段の表示面および前記撮像手段の撮像方向が同一方向に設定された電子機器を用いた撮影方法であって、前記表示手段の表示輝度を少なくとも２つのレベルで切り替え制御し、前記撮像手段による撮像時は、前記表示手段が最も高い輝度レベルで所定画像を表示する。
【００１４】
さらに、本発明に係る撮像方法は、前記撮像手段が撮像する瞬間前には、前記表示手段の表示輝度を前記最も高い輝度レベルに切り替え、前記撮像手段が撮像する瞬間後には、前記表示手段の表示輝度を前記最も高い輝度レベルよりも低い輝度レベルに切り替える。
【００１５】
また、本発明に係る電子機器は、通電することで発光する発光手段と、前記発光手段を点灯制御する点灯制御手段と、前記点灯制御手段に対して前記発光手段の点灯を指示する点灯指示手段とを備え、前記点灯制御手段は、前記発光手段を第１の点灯用途のために第１の輝度で点灯させるとともに、前記点灯指示手段から点灯指示があったときには、前記発光手段を第２の点灯用途のために第２の輝度で点灯させる制御を行うことを特徴とする。
【００１６】
この構成によれば、１つの発光手段を複数の異なる輝度で点灯させて、様々な点灯用途に使用して各用途で適切な発光態様を得ることが可能となる。例えば、撮像手段を備えた電子機器において、第１の点灯用途が電話等の着信報知であるとし、第２の点灯用途での第２の輝度を第１の点灯用途での第１の輝度よりも高輝度とすることで、ＬＥＤ等の発光手段を撮像手段による撮影時のフラッシュ（撮影照明）として利用することが可能となる。この場合、低照度環境下でフラッシュを用いて画質向上を図るための専用の発光手段を設ける必要がなくなり、新規部材追加による実装面積や厚みの増加、コストの増加などを抑制でき、装置の小型化、低コスト化及び低ノイズ化を図れる。
【００１７】
また、本発明の一態様として、前記点灯制御手段は、通信手段による着信があった場合に前記第１の点灯用途として着信報知のために前記発光手段を点灯させることとする。
【００１８】
この構成によれば、発光手段を着信報知に用いることで、電話等の着信を視覚的に知らせることができる。
【００１９】
また、本発明の一態様として、前記点灯制御手段は、所定のアラーム設定時刻となった場合に前記第１の点灯用途として時刻アラーム報知のために前記発光手段を点灯させることとする。
【００２０】
この構成によれば、発光手段を時刻アラーム報知に用いることで、時刻アラームを視覚的に知らせることができる。
【００２１】
また、本発明の一態様として、前記点灯制御手段は、前記第２の点灯用途として撮像手段の撮影照明のために前記発光手段を発光させることとする。
【００２２】
この構成によれば、発光手段を第２の点灯用途として撮影照明に用いることにより、１つの発光手段を着信報知や時刻アラーム報知等として使用できるとともに、撮影照明として使用してフラッシュ発光を実行することができる。
【００２３】
また、本発明の一態様として、前記点灯制御手段は、前記第２の点灯用途として撮像手段の撮影照明を行う際に、前記撮像手段による撮影前に前記発光手段を第２の輝度で発光させるとともに、前記撮像手段による撮影時に前記発光手段を第２の輝度より明るい第３の輝度で発光させることとする。
【００２４】
この構成によれば、発光手段を撮影照明として用いる際に、例えば撮影前のプレ発光と撮影時のフラッシュ発光とを１つの発光手段で実現し、良好な画質の撮影画像を得ることが可能となる。
【発明を実施するための最良の形態】
【００２５】
（第１実施形態）
本発明に係る電子機器および当該電子機器を用いた撮影方法の実施の形態について、図面を参照しながら説明する。本実施形態では、本発明に係る電子機器としてカメラ付き携帯電話（以下、単に「携帯電話」という。）を例に説明する。但し、表示部を備えた電子機器であれば携帯電話に限らず、ＰＤＡやノート型ＰＣ、デジタルカメラ等に適用しても良い。
【００２６】
図１は、本発明に係る一実施形態の携帯電話の構成を示すブロック図である。本実施形態の携帯電話１０１は、アンテナ１１２と、無声送受信部１０２と、送受話部３と、送受話器１０４と、操作部１０５と、メモリ１０６と、特許請求の範囲の表示制御手段に該当する制御部１０７と、表示手段および第１の表示手段に該当する表示部１０８と、表示手段および第２の表示手段に該当する背面表示部１０９と、撮像手段および第１の撮像手段に該当する撮像部１１０と、撮像手段および第２の撮像手段に該当する背面撮像部１１１とを備えて構成されている。
【００２７】
ユーザが操作部１０５を操作して携帯電話１０１の電源を投入すると、制御部１０７は電源投入を検知して、各部を動作可能な状態にする。そして、操作部１０５を操作して相手先の電話番号を入力して、または操作部１０５を操作してメモリ１０６に登録された相手先の電話番号を呼び出して発信キーを押すと、無声送受信部１０２を介してアンテナ１１２から基地局に対し、発呼のための無線送信が行われる。相手先が応答すると、制御部１０７は、基地局から送られた応答信号をアンテナ１１２を介して無声送受信部１０２で受信し、送受話部３を動作可能な状態にする。これにより、携帯電話１０１のユーザは、送受話器１０４を介して相手先と通話することができる。
【００２８】
また、表示部１０８および背面表示部１０９は、携帯電話１０１の電源投入時にその旨の表示を行い、電話番号を入力したときまたは呼び出したときにその電話番号を表示し、相手先が応答した時にはその旨の表示を行う。また、制御部１０７は、被写体の撮影時に表示部１０８および背面表示部１０９を制御して、ユーザが操作部１０５を操作することによって撮像が行われると、撮像された画像データをメモリ１０６に転送および保存する。
【００２９】
図２は、本実施形態の携帯電話１０１を示す外観図である。同図に示すように、本実施形態の携帯電話１０１は、上側筐体１ａと下側筐体１ｂがヒンジ部１ｃを介して開閉自在な折り畳み式のものである。図２（Ａ）に示すように、上側筐体１ａの内側の面（正面）には表示部１０８と撮像部１１０が同一面上に配置されており、上側筐体１ａの外側の面（背面）には電源キー１１５やシャッターキー１１６等の各種キーを含む操作部１０５が設けられている。また、図２（Ｂ）に示すように、上側筐体１ａの背面には、背面表示部１０９と背面撮像部１１０が同一面上に配置されている。このように、本実施形態の携帯電話１０１には撮像部が２個搭載されている。
【００３０】
また、被写体を撮像する際には、使用する撮像部によって表示部１０８、背面表示部１０９の表示内容および輝度が異なる。図３は、背面撮像部１１１を用いて撮像を行う場合の、プレビュー時および撮影時における表示部１０８および背面表示部１０９の各表示内容および各表示輝度を示す説明図である。また、図４は、撮像部１１０を用いて撮像を行う場合の、プレビュー時および撮影時における表示部１０８および背面表示部１０９の各表示内容および各表示輝度を示す説明図である。
【００３１】
図３に示すように、背面撮像部１１１を用いて撮像を行う際のプレビュー時、表示部１０８には任意の輝度で背面撮像部１１１からの画像が表示され、背面表示部１０９には輝度１でフラッシュ専用画像が表示される。また、背面撮像部１１１を用いた撮像時、表示部１０８には任意の輝度で背面撮像部１１１からの画像が表示され、背面表示部１０９には輝度２でフラッシュ専用画像が表示される。なお、輝度１と輝度２とでは輝度２の方が輝度レベルは高く、輝度２でのフラッシュ専用画像の表示がフラッシュの役割を果たす。また、プレビュー時に背面表示部１０９に表示されるフラッシュ専用画像と、撮影時に背面表示部１０９に表示されるフラッシュ専用画像とは同一である必要はなく、異なる画像としても良い。
【００３２】
一方、図４に示すように、撮像部１１０を用いて撮像を行う際のプレビュー時、表示部１０８には輝度３で撮像部１１０からの画像が表示され、背面表示部１０９には輝度４でフラッシュ専用画像が表示される。また、撮像部１１０を用いた撮像時、表示部１０８は任意の輝度で任意の表示を行い、背面表示部１０９も任意の輝度で任意の表示を行う。なお、輝度３と輝度４とでは輝度４の方が輝度レベルは高く、輝度４でのフラッシュ専用画像の表示がフラッシュの役割を果たす。
【００３３】
なお、フラッシュ専用画像は、予めメモリ１０６に登録された画像データを読み出すことによって表示されるものでも良いし、全画素を単に白色とした表示であっても良い。全画素を白色に発光させることで、フラッシュ発光時に必要な明るさを最も効率良く得ることができる。但し、赤色、青色、緑色とすれば通常と異なる特殊撮影が可能となる。例えば、全画素が赤色に発光させることで、撮影画像に面白い効果を与えることができる。
【００３４】
また、フラッシュ専用画像は１種類でも良いが、複数種類用意することも可能である。例えば、複数種類のフラッシュ専用画像を予めメモリに登録しておき、操作部１０５による所定のキー操作によって所望のフラッシュ専用画像を撮影開始前に選択しても良い。
【００３５】
次に、本実施形態の携帯電話１０１を用いて撮像を行う際の携帯電話１０１の動作（フラッシュ撮影方法）について、図５および図６を参照して説明する。
【００３６】
図５は、背面撮像部１１１を用いて撮像する際の撮像処理手順を示すフローチャートである。同図に示す撮像処理手順を実行するプログラムは制御部１０７内のメモリ（図示せず）に格納されており、例えば、ユーザが所定のキー操作を行うことより撮影準備段階に入ると、制御部１０７内のＣＰＵ（図示せず）は当該プログラムを実行する。
【００３７】
背面撮像部１１１を用いて撮像（背面撮像）する場合、ファインダの代わりに表示部１０８を使用し、背面表示部１０９をフラッシュ光源に使用する。まず、撮影準備段階であるプレビュー時には、背面表示部１０９に輝度１の輝度レベルでフラッシュ専用画面を表示し、表示部１０８に背面撮像部１１１からの画像を任意の輝度で連続的に表示するプレビュー動作を行う（ステップＳ１１）。なお、ステップＳ１１におけるプレビュー動作では、輝度１の明るさとして輝度が値０となる黒の画面を、背面表示部１０９に表示させても良いが、照度が低い環境ではプレビュー画面が暗くなり被写体が見えにくいような場合、被写体を照らすライト代わりに使用するため、ある程度の明るさ持った輝度１で背面表示部１０９を点灯させることが好ましい。
【００３８】
次に、プレビュー動作中、シャッターキー１１６が押されたかを判断する（ステップＳ１２）。シャッターキー１１６が押されない場合はステップＳ１１に戻ってプレビュー動作を継続し、シャッターキー１１６が押された場合（つまり撮像時）は、背面表示部１０９の表示輝度を輝度１よりも明るい輝度２に設定してフラッシュ動作を行い、このタイミングに合わせて背面撮像部１１１が撮像を行う（ステップＳ１３）。なお、輝度２はフラッシュ光に見合った輝度に予め設定されている。次に、背面撮像部１１１で撮像された画像の画像データを取り込み、メモリ１０６に保存する（ステップＳ１４）。なお、ステップＳ１３における撮像時の表示部１０８の表示輝度は、プレビュー表示に見合った任意の輝度で良い。
【００３９】
画像データの取り込み後、背面表示部１０９の表示輝度を輝度２から輝度１に戻して、フラッシュ専用画像を表示する（ステップＳ１５）。この後、操作部１０５で所定のキー操作が行われて撮影終了とされたかを判別する（ステップＳ１６）。撮影終了でない場合はステップＳ１１の処理に戻り、撮影終了である場合は本処理を終了する。
【００４０】
図６は、撮像部１１０を用いて撮像する際の撮像処理手順を示すフローチャートである。同図に示す撮像処理手順を実行するプログラムは制御部１０７内のメモリ（図示せず）に格納されており、例えば、ユーザが所定のキー操作を行うことにより撮影準備段階に入ると、制御部１０７内のＣＰＵ（図示せず）は当該プログラムを実行する。
【００４１】
撮像部１１０を用いて撮像（正面撮像）する場合、表示部１０８をファインダの代わりに使用すると共にフラッシュ光源にも使用する。この場合、背面表示部１０９はフラッシュ光源の用途には使用されないため、プレビュー時、撮影時のどちらも任意の輝度で任意の画像を表示する。まず、撮影準備段階であるプレビュー時には、表示部１０８に輝度３の輝度レベルで撮像部１１０からの画像を連続的に表示するプレビュー動作を行う（ステップＳ２１）。
【００４２】
次に、プレビュー動作中、シャッターキー１１６が押されたかを判断する（ステップＳ２２）。シャッターキー１１６が押されない場合はステップＳ２１に戻ってプレビュー動作を継続し、シャッターキー１１６が押された場合（つまり撮像時）は、表示部１０８の表示輝度を輝度３よりも明るい輝度４に設定すると同時に表示画面をフラッシュ専用画像に切り替えてフラッシュ動作を行い、このタイミングに合わせて撮像部１１０が撮像を行う（ステップＳ２３）。なお、輝度４はフラッシュ光に見合った輝度に予め設定されている。次に、撮像部１１０で撮像された画像の画像データを取り込み、メモリ１０６に保存する（ステップＳ２４）。
【００４３】
画像データの取り込み後、表示部１０８の表示輝度を輝度４から輝度３に戻すと共に、表示画面を撮像部１１０からの画像に切り替える（ステップＳ２５）。この後、操作部１０５で所定のキー操作が行われて撮影終了とされたかを判別する（ステップＳ２６）。撮影終了でない場合はステップＳ２１の処理に戻り、撮影終了である場合は本処理を終了する。
【００４４】
以上説明したように、本実施形態の携帯電話１０１では、撮像する際に表示部１０８または背面表示部１０９から発する光をフラッシュ光源として利用する。これにより、フラッシュ装置やＬＥＤ等の部品を新たに実装することなく、フラッシュ機能を実現できる。結果として、新たに部品を追加することによる実装面積や厚みの増加、フラッシュ発光時におけるノイズの発生、コストの増加といった問題を解消できる。フラッシュ光源として用いられる表示部１０８または背面表示部１０９の表示輝度は、撮影する瞬間（撮影時）だけ輝度を高めるため、低消費電力化を図ることができる。
【００４５】
なお、本実施形態の携帯電話１０１は、撮像部および表示部をそれぞれ２つ搭載しているが３つ以上であっても良く、また互いに異なる数であっても良い。また、輝度の変更は段階的であっても連続的であっても良い。また、撮影時における背面表示部１０９の輝度２および表示部１０８の輝度４は、フラッシュ光に見合った所定の範囲内でユーザが任意に設定可能であっても良い。さらに、表示部１０８および背面表示部１０９は、例えば、バックライト付き液晶表示装置、プラズマディスプレイ、有機ＥＬ、ＦＥＤ（フィールドエミッションディスプレイ）、発光ダイオードアレイ等を挙げることができる。
【００４６】
（第２実施形態）
以下、図面を参照して本発明の実施形態を説明する。
【００４７】
本実施形態では、携帯電話装置に適用した例によって電子機器の構成例を説明する。図７は、本発明の一実施形態に係る携帯電話装置の構成を示すブロック図である。また、図８は本実施形態に係る携帯電話装置の外観構成を示す斜視図であり、（ａ）は正面側を示し、（ｂ）は背面側を示す。
【００４８】
図７において、本実施形態の携帯電話装置は、アンテナ２０１と、無線信号の送受信を行う通信手段としての無線送受信部２０２と、マイクとスピーカとを有する送受話器２０３と、送受話部２０４と、本装置を操作するための複数のキーボタンからなる操作部２０５と、半導体メモリ等の記憶素子からなる記憶部２０６と、着信や充電状態など装置本体の状態の報知に用いられるＬＥＤ部２０７とを備えている。また、携帯電話装置は、液晶表示素子（ＬＣＤ）等からなる第１表示部２０８及び第２表示部２０９と、ＣＣＤ(Charge Coupled Device)撮像素子あるいはＣＭＯＳ(Complementary Metal Oxide Semiconductor)撮像素子等による撮像手段としての第１撮像部２１０及び第２撮像部２１１と、第１表示部用光源部２１２と、第２表示部用光源部２１３と、本装置を構成する各部を制御する制御部２１４とを備えている。
【００４９】
送受話部２０４は、通話相手の音声を送受話器２０３のスピーカへ出力するとともに、送受話器２０３のマイクに入力された本装置のユーザの音声を制御部２１４へ送出する。第１表示部２０８及び第２表示部２０９は、本装置の各種機能実行時における動作内容の表示に用いられる。
【００５０】
ここで、第１表示部２０８と第１撮像部２１０は、図８の（ａ）に示すように、携帯電話装置の正面側に設けられている。また、第２表示部２０９と第２撮像部２１１は、図８の（ｂ）に示すように、携帯電話装置の背面側に設けられている。ＬＥＤ部２０７は、図８の（ａ）及び（ｂ）に示すように、装置本体の上端部に、正面側と背面側の両方にわたってどちらの面からでも発光した光が見えるような形態で配設されている。
【００５１】
ＬＥＤ部２０７は、特許請求の範囲に記載の発光手段に相当するもので、例えば赤，緑，青の３色のＬＥＤ（発光ダイオード）を備えて構成され、これらの色違いのＬＥＤを用いて、白をはじめとした何種類もの色を実現し、点灯パターンや輝度を変化させることで、１箇所のＬＥＤ部２０７だけで色々な報知パターンを実現している。例えば、上述したように、着信や充電状態など装置本体の状態の報知を行う。また、電源が入っていることを示す起動状態の報知機能や、赤外線のような光を用いて他の携帯電話装置等とデータを交換する通信機能も有する。さらに、ＬＥＤ部２０７は、操作部２０５における点灯指示手段としてのシャッタボタンが操作された場合に撮影照明として白色で高輝度に発光するフラッシュ機能を有している。
【００５２】
制御部２１４は、特許請求の範囲に記載の点灯制御手段に相当するもので、ＬＥＤ部２０７の点灯パターンや輝度などの発光態様を制御する。なお、ＬＥＤ部２０７を第２表示部２０９の第２表示部用光源部２１３と共用し、モノクロ表示素子のような表示色の少ない第２表示部２０９に対して表示上のバリエーションを増やすことも流用することも可能である。
【００５３】
第１表示部用光源部２１２は、ＬＥＤ等からなり、第１表示部２０８を暗い環境下で見やすくするために用いられるいわゆるバックライトやフロントライトを構成する。同様に、第２表示部用光源部２１３は、ＬＥＤ等からなり、第２表示部２０９を暗い環境下で見やすくするために用いられるいわゆるバックライトやフロントライトを構成する。
【００５４】
次に、上記のように構成された本実施形態の携帯電話装置の動作について説明する。
【００５５】
ユーザが操作部２０５にて電源を投入する操作を行うと、その操作が制御部２１４で検知されて装置各部を動作可能な状態にする。装置が使用可能な状態になった後、ユーザが操作部２０５にて発呼先の相手の電話番号をダイヤルする操作を行うか、あるいは記憶部２０６に記憶されている発呼先の相手の電話番号を呼び出す操作を行って発信キーボタンを操作すると、制御部２１４は発呼動作を行い、無線送受信部２０２を介してアンテナ１から呼び出しのための無線信号を送信する。
【００５６】
アンテナ２０１より送信された無線信号は、図示しない基地局にて受信される。基地局はその無線信号を受信すると、発呼元のユーザが通話目的とする相手に対して発呼を行う。この発呼により相手が応答すると、この応答のための無線信号がアンテナ２０１を介して無線送受信部２０２にて受信される。これにより、制御部２１４の制御のもとで送受話部２０４が動作可能になり、送受話器２０３を用いて相手と通話可能になる。
【００５７】
また、電源投入時には、制御部２１４の表示制御により、第１表示部２０８及び第２表示部２０９において電源投入状態を表す表示が行われる。また、電話番号が入力されたときや記憶部２０６に記憶されている電話番号の呼び出しが行われたときには、制御部２１４の制御によってそれぞれの電話番号が第１表示部２０８や第２表示部２０９に表示される。また、相手が応答したときにはその旨が第１表示部２０８や第２表示部２０９に表示される。
【００５８】
ＬＥＤ部２０７は、制御部２１４の制御に基づき、着信音とともに着信を報知するために点灯する。また、通話中、充電中、充電完了などの装置の状態を発光状態によって示したり、第１表示部２０８や第２表示部２０９がオフ状態でも電源が入っていることを示すなどの報知を行う。
【００５９】
また、制御部２１４は、被写体の撮影時に第１撮像部２１０及び第２撮像部２１１を制御して撮影画像の取り込みを行う。このとき、制御部２１４は、操作部２０５の撮影指示操作によりシャッタが切られると、第１撮像部２１０又は第２撮像部２１１により撮像されて得られた画像データを撮像データとして記憶部２０６へ転送し保存する。
【００６０】
ここで、第２撮像部２１１を使用して撮影する場合の撮影動作、及び撮影動作におけるＬＥＤ部２０７の輝度状態について説明する。図９は第２撮像部２１１を使用したときの撮影動作の概略手順を示すフローチャートである。また、図１０はプレビュー時、撮像時におけるＬＥＤ部２０７の輝度状態を示す動作説明図である。
【００６１】
本実施形態では、第２撮像部２１１を用いて撮影する場合、第１表示部２０８もしくは第２表示部２０９をファインダ代わりに使用して被写体の撮影画像を表示し、ＬＥＤ部２０７をフラッシュ光源として使用する。撮影開始時には、第２撮像部２１１の動作状態を示すために、図１０に示すように、ＬＥＤ部２０７の赤のＬＥＤを点灯させ、輝度「２」の状態として撮像部が動作中であることを示し（ステップＳ３１）、第２撮像部２１１によって得られた画像データを連続的に第１表示部２０８もしくは第２表示部２０９に表示するプレビュー動作を実行する（ステップＳ３２）。
【００６２】
なお、ここで輝度「２」の状態とする代わりに、停止時（非動作時）と同様の輝度「０」である消灯としても構わない。しかし、室内のような暗い環境下で撮影を行う際、暗所で人間の目の瞳孔が開いているために光が眼底に反射して赤く写ってしまう赤目現象を起こすことがある。本実施形態では、被写体を照らすライト代わりにも使用するため、ある程度の明るさを持った輝度「２」の明るさでＬＥＤ部２０７を点灯させ、フラッシュ発光時のプリ発光として機能させる。
【００６３】
次に、操作部２０５のシャッタボタンが押されたかどうかを判定する（ステップＳ３３）。ここで、シャッタボタンが押されてなければステップＳ３２のプレビュー動作を繰り返し、シャッタボタンが押されてシャッタが切られると、制御部２１４は、ＬＥＤ部２０７の緑と青の各ＬＥＤを同時点灯させて、輝度を輝度「２」より明るい輝度「３」にし、フラッシュ発光動作を実行する（ステップＳ３４）。そして、このフラッシュ発光のタイミングに合わせて第２撮像部２１１により撮像されて得られた画像データを撮像データとして記憶部２０６に保存する（ステップＳ３５）。撮像データを取り込んだ後、ＬＥＤ部２０７の緑と青の各ＬＥＤを消灯して輝度「３」から輝度「２」へ戻し、フラッシュ発光を終了する（ステップＳ３６）。
【００６４】
図１１はＬＥＤ部２０７の輝度変化を示す動作説明図である。図１１において、赤，緑，青の横にそれぞれ並べて記載した四角を１単位時間とした場合、「ＯＮ」と記している部分はＬＥＤが１単位時間点灯していることを表している。
【００６５】
電話通話等の着信がなく、表示も停止している場合、すなわち図１１の（ａ）に示す場合、ＬＥＤ部２０７は輝度「０」となる。この状態で着信があると、（ｂ）に示すように、緑と青の各ＬＥＤが同時点灯／同時消灯のパターンを所定の周期（ここでは６単位時間＝１周期）で繰り返す（第１の点灯用途による発光）。そして、プレビュー動作となった場合、（ｃ）に示すように、赤のＬＥＤのみが常時点灯する。この状態でシャッタボタンを押して撮影を行うと、（ｄ）に示すように、緑と青の各ＬＥＤが１単位時間点灯し、フラッシュ発光動作となる（第２の点灯用途による発光）。
【００６６】
このように、本実施形態の携帯電話装置によれば、新たにフラッシュ装置や発光ダイオードを追加する必要が無くフラッシュ機能を実現でき、新規部材追加による実装面積や厚みの増加、コストの増加、及びノイズの増加といった問題を解決できることとなる。また、撮像する瞬間だけ輝度を高めることができるため、低消費電力化が図れる。
【００６７】
なお、上記実施形態では、ＬＥＤ部２０７の輝度の変化を色の異なるＬＥＤを点灯することで実現したが、同一色のＬＥＤを複数個用いる、もしくはＬＥＤに流す電流値を多くすることで、輝度の変化を実現するようにしてもよい。
【００６８】
また、上記実施形態では、ＬＥＤ部２０７の第１の点灯用途を電話等の着信報知とし、第２の点灯用途をフラッシュ発光としたが、第１の点灯用途あるいは新たな第３の点灯用途として、所定のアラーム設定時刻となった場合の時刻アラーム報知、電子メールの受信報知などに用いることも可能である。
【００６９】
また、上記実施形態では、第２撮像部２１１により撮像する場合の動作例を示したが、第１撮像部２１０でも同様に実現可能である。
【００７０】
また、上記実施形態では、撮像部を２個（第１撮像部２１０と第２撮像部２１１）、表示部も２個（第１表示部２０８と第２表示部２０９）搭載している構成例を示したが、撮像部及び表示部の個数に関わらず、撮像動作フロー及び撮像時の各表示部の表示内容、輝度は同様に考えられる。このため、本発明の一実施形態と何ら変わることがない。
【００７１】
また、上記実施形態では、ＬＥＤ部２０７の発光によってフラッシュ機能を実現したが、第１表示部用光源部２１２又は第２表示部用光源部２１３でフラッシュ機能を実現することも可能である。すなわち、正面側の第１撮像部２１０で撮影する場合、第１表示部用光源部２１２の輝度を高めてフラッシュ発光させ、背面側の第２撮像部２１１で撮影する場合、第２表示部用光源部２１３の輝度を高めてフラッシュ発光させればよい。
【００７２】
また、上記実施形態では、携帯電話装置にＬＥＤの輝度制御を適用した場合であったが、カメラ付きのＰＤＡ（携帯情報端末）等の電子機器は勿論のこと、パーソナルコンピュータ（所謂ノートパソコン）にも適用可能である。
【００７３】
次に、本実施形態に係る携帯電話装置の応用例を説明する。
【００７４】
図１２は、本実施形態に係る携帯電話装置の第１応用例の外観構成を示す斜視図である。第１応用例は、ＬＥＤ部１２を装置本体に対して前後（撮像部の撮像面に対して垂直方向）にスライドできるように配設したものである。このように構成することで、フラッシュ発光時の照度を高めることができる。
【００７５】
図１３は、本実施形態に係る携帯電話装置の第２応用例の外観構成を示す斜視図である。第２応用例は、ＬＥＤ部１２を装置本体に対して上下（撮像部の撮像面に対して平行方向）にスライドできるように配設したものである。このように構成することで、第１応用例と同様にフラッシュ発光時の照度を高めることができる。
【００７６】
図１４は、本実施形態に係る携帯電話装置の第３応用例の外観構成を示す斜視図である。第３応用例は、ＬＥＤ部１２の周囲に反射材２１５を設けたものである。この反射材２１５は、光が装置本体に対して前方（撮像部の撮像面に対して前方方向）に広がるように角度付けして配置されている。なお、装置本体の背面側も同様の反射材を設けている。このように構成することで、第１及び第２応用例と同様にフラッシュ発光時の照度を高めることができる。
【００７７】
なお、ＬＥＤ部１２を配置する位置は、図８、図１２〜図１４に示した位置に限らず、装置構成などに応じて任意にいずれの位置に設けてもよい。例えば、装置本体の正面部、背面部、正面部と背面部の両方、側面部、筐体角部近傍、ヒンジ部またはヒンジ部近傍、操作部側の端部など、適宜ＬＥＤ部を設けることができる。
【００７８】
上述した本実施形態によれば、ＬＥＤ等からなる１つの発光手段を用途別に異なる輝度で点灯させることによって、複数の用途に使用することができ、例えば第１の点灯用途が着信報知であるとすると、第２の点灯用途での第２の輝度を第１の点灯用途での第１の輝度よりも高輝度とすることによりカメラ撮影時のフラッシュとして利用することが可能となる。これにより、低照度環境下での画質向上を図るための専用の発光手段を設ける必要がなくなり、新規部材追加により実装面積や厚みが増加したりする問題を解決できるとともに、材料費がかかりコストが増加したり、また発光手段が増加することにより、ノイズも増加するという問題を解決することができる。したがって、本実施形態では、撮像手段を備えた電子機器において、フラッシュ機能を搭載して低照度環境下での画質向上を図りながらも、小型化、低コスト化及び低ノイズ化を図ることができる。
【００７９】
また、発光手段の第１の点灯用途を着信報知とすることにより、使用者は電話等の着信を視覚的に認識することができる。また、発光手段の第１の点灯用途を時刻アラーム報知とすることにより、使用者は設定時刻の時刻アラームを視覚的に認識することができる。また、発光手段の第２の点灯用途を撮影照明とすることにより、１つの発光手段を着信報知や時刻アラーム報知として使用できるとともに、撮影照明として使用することができる。  【００８３】
本発明を詳細にまた特定の実施態様を参照して説明したが、本発明の精神と範囲を逸脱することなく様々な変更や修正を加えることができることは当業者にとって明らかである。
【００８０】
本出願は、2002年12月12日出願の日本特許出願Ｎｏ．2002-360843、2002年12月26日出願の日本特許出願Ｎｏ．2002-377208に基づくものであり、その内容はここに参照として取り込まれる。
【産業上の利用可能性】
【００８１】
以上説明したように、本発明に係る電子機器および当該電子機器を用いた撮影方法によれば、新たな部品を実装することなくフラッシュ機能を実現する電子機器を提供可能である。結果として、新たに部品を追加することによる実装面積や厚みの増加、フラッシュ発光時におけるノイズの発生、コストの増加を解消できる。
【図面の簡単な説明】
【００８２】
【図１】  本発明に係る一実施形態の携帯電話装置の構成を示すブロック図
【図２】  本発明に係る一実施形態の携帯電話装置を示す外観図
【図３】  背面撮像部を用いて撮像を行う場合の、プレビュー時および撮影時における表示部および背面表示部の各表示内容および各表示輝度を示す説明図
【図４】  撮像部を用いて撮像を行う場合の、プレビュー時および撮影時における表示部および背面表示部の各表示内容および各表示輝度を示す説明図
【図５】  背面撮像部を用いて撮像する際の撮像処理手順を示すフローチャート
【図６】  撮像部を用いて撮像する際の撮像処理手順を示すフローチャート
【図７】  本発明に係る一実施形態の携帯電話装置の構成を示すブロック図
【図８】  本発明に係る一実施形態の携帯電話装置の外観構成を示す斜視図。（ａ）は正面側を示す図、（ｂ）は背面側を示す図
【図９】  本発明に係る一実施形態の携帯電話装置における第２撮像部を使用したときの撮影動作の概略手順を示すフローチャート
【図１０】  本発明に係る一実施形態の携帯電話装置のプレビュー時並びに撮像時におけるＬＥＤ部の輝度状態を示す動作説明図
【図１１】  本発明に係る一実施形態の携帯電話装置のＬＥＤ部の輝度変化を示す動作説明図
【図１２】  本発明に係る一実施形態の携帯電話装置の第１応用例の外観構成を示す斜視図
【図１３】  本発明に係る一実施形態の携帯電話装置の第２応用例の外観構成を示す斜視図【図１４】  本発明に係る一実施形態の携帯電話装置の第３応用例の外観構成を示す斜視図
【符号の説明】
【００８３】
１０１  携帯電話、
１０２  無線送受信部
１０３  送受話部
１０４  送受話器
１０５  操作部
１０６  メモリ
１０７  制御部
１０８  表示部
１０９  背面表示部
１１０  撮像部
１１１  背面撮像部
１１２  アンテナ
２０１  アンテナ
２０２  無線送受信部
２０３  送受話器
２０４  送受話部
２０５  操作部
２０６  記憶部
２０７  ＬＥＤ部
２０８  第１表示部
２０９  第２表示部
２１０  第１撮像部
２１１  第２撮像部
２１２  第１表示部用光源部
２１３  第２表示部用光源部
２１４  制御部
２１５  反射材
【手続補正３】
【補正対象書類名】図面
【補正対象項目名】全図
【補正方法】変更
【補正の内容】
【図１】
2004054239.tif 000017
【図２】
2004054239.tif 000018
【図３】
2004054239.tif 000019
【図４】
2004054239.tif 000020
【図５】
2004054239.tif 000021
【図６】
2004054239.tif 000022
【図７】
2004054239.tif 000023
【図８】
2004054239.tif 000024
【図９】
2004054239.tif 000025
【図１０】
2004054239.tif 000026
【図１１】
2004054239.tif 000027
【図１２】
2004054239.tif 000028
【図１３】
2004054239.tif 000029
【図１４】
2004054239.tif 000030
【国際調査報告】
2004054239.tif 000031
2004054239.tif 000032
2004054239.tif 000033
2004054239.tif 000034
2004054239.tif 000035
2004054239.tif 000036
2004054239.tif 000037
2004054239.tif 000038